(57)【要約】【課題】  植物の栽培に有利な培地の水分管理を行うことのできる植物栽培装置を提供する。【解決手段】    培地２又は培地２に植えられる植物３に水分を供給する水分供給器７と、培地２の含水率を測定して含水率測定値を送信する含水率計４と、培地２に植えられる植物３の周囲の光量を測定して光量測定値を送信する光量計５と、含水率測定値を受信して、水分供給器７が培地２又は植物３に供給する水分量を制御するとともに、光量測定値を受信して植物３の周囲が暗期から明期に切り替わったことを判断した場合に、水分供給器６が培地２又は植物３に供給する水分量を、含水率測定値に基づいて供給する水分量以上に制御する制御部６と、を備えている。【選択図】図１
2006230233.tif 000002
【特許請求の範囲】
【請求項１】
培地又は培地に植えられる植物に水分を供給する水分供給器と、培地の含水率を測定して含水率測定値を送信する含水率計と、培地に植えられる植物の周囲の光量を測定して光量測定値を送信する光量計と、含水率測定値を受信して、水分供給器が培地又は植物に供給する水分量を制御するとともに、光量測定値を受信して植物の周囲が暗期から明期に切り替わったことを判断した場合に、水分供給器が培地又は植物に供給する水分量を、含水率測定値に基づいて供給する水分量以上に制御する制御部と、を備えたことを特徴とする植物鑑賞装置。
【請求項２】
培地又は培地に植えられる植物に水分を供給する水分供給器と、培地の含水率を測定して含水率測定値を送信する含水率計と、培地に植えられる植物の周囲の光量を測定して光量測定値を送信する光量計と、含水率測定値を受信して、水分供給器が培地又は植物に供給する水分量を制御するとともに、光量測定値を受信して植物の周囲が明期から暗期に切り替わったことを判断した場合に、水分供給器が培地又は植物に供給する水分量を、含水率測定値に基づいて供給する水分量以下に制御する制御部と、を備えたことを特徴とする植物鑑賞装置。
【請求項３】
培地に植えられる植物の周囲の温度を測定する温度計と、温度測定値に基づいて水分供給器が培地又は植物に水分の供給を停止する制御部と、を備えたことを特徴とする請求項１又は２に記載の植物鑑賞装置。
【発明の詳細な説明】
【技術分野】
【０００１】
本発明は、鉢物の花卉類や観葉植物などの観賞用の植物に対する植物鑑賞装置に関するものである。
【背景技術】
【０００２】
従来から、鉢物の花卉類や観葉植物などの観賞用の植物に対する植物鑑賞装置として、テラリウムと呼ばれる、略密閉型のガラス容器または透明な樹脂の容器であって内部空間を植物の生育しやすい環境に制御する製品がある。ここで、植物が植えられる培地の含水率は植物の栽培に影響を与えることから、これを管理する技術として、特開２００２−３６５２５５号公報（特許文献１）に記載されているもの、すなわち、土中に埋め込んだ土壌湿度感知器により、土壌の含水率を測定し、水分の管理時期が報知されるものが例示されている。
【特許文献１】特開２００２−３６５２５５号公報
【発明の開示】
【発明が解決しようとする課題】
【０００３】
しかしながら、上記構成では、培地の含水率に基づく水分の供給時期が報知されるのみで、植物の生理反応をふまえた水分の供給については考慮されていない。
【０００４】
植物の生理反応には、周囲環境の明暗に応じるものが知られており、明期の開始時には光を感じた植物が根からの水分吸い上げ及び葉裏の気孔からの水分蒸散を開始し、逆に暗期の開始時にはこれらの吸い上げ及び蒸散を終了するものが知られている。すなわち、植物の周囲が暗期から明期に切り替わった場合には、植物の生理活動が活発となり、培地の含水率に従って水分を供給しても、植物の乾燥が進む場合がある。また植物の周囲が明期から暗期に切り替わった場合には、植物の生理活動が停滞となり、培地の含水率に従って水分を供給すると、水分が過剰となって根腐れが生じる場合がある。
【０００５】
本願発明は、上記背景技術に鑑みてなされたものであり、その課題は、植物の栽培に有利な培地の水分管理を行うことのできる植物栽培装置を提供することである。
【課題を解決するための手段】
【０００６】
上記課題を解決するために、本願発明は、培地又は培地に植えられる植物に水分を供給する水分供給器と、培地の含水率を測定して含水率測定値を送信する含水率計と、培地に植えられる植物の周囲の光量を測定して光量測定値を送信する光量計と、含水率測定値を受信して、水分供給器が培地又は植物に供給する水分量を制御するとともに、光量測定値を受信して植物の周囲が暗期から明期に切り替わったことを判断した場合に、水分供給器が培地又は植物に供給する水分量を、含水率測定値に基づいて供給する水分量以上に制御する制御部と、を備えたことを特徴とする植物鑑賞装置である。
【０００７】
また本願発明は、培地又は培地に植えられる植物に水分を供給する水分供給器と、培地の含水率を測定して含水率測定値を送信する含水率計と、培地に植えられる植物の周囲の光量を測定して光量測定値を送信する光量計と、含水率測定値を受信して、水分供給器が培地又は植物に供給する水分量を制御するとともに、光量測定値を受信して植物の周囲が明期から暗期に切り替わったことを判断した場合に、水分供給器が培地又は植物に供給する水分量を、含水率測定値に基づいて供給する水分量以下に制御する制御部と、を備えたことを特徴とする植物鑑賞装置である。
【発明の効果】
【０００８】
本願発明によれば、植物の周囲が暗期から明期に切り替わった場合に、含水率測定値に基づいて供給する水分量以上の水分が培地又は植物に供給されるので、植物の乾燥が進むことを防止することができる。
【０００９】
また本願発明によれば、植物の周囲が明期から暗期に切り替わった場合に、含水率測定値に基づいて供給する水分量以下の水分が培地又は植物に供給されるので、水分が過剰となって根腐れが生じることを防止することができる。
【００１０】
さらに植物の周囲の温度測定値が所定の値より低くなった場合に、水分供給を停止ができるので、培地の過渡な湿りを防止することができる。
【発明を実施するための最良の形態】
【００１１】
本願の請求項１〜３に対応した植物鑑賞装置１の一実施形態を図１及び図２により説明する。
【００１２】
本実施形態の植物鑑賞装置１は、図１及び図２に示す如く、培地２又は培地２に植えられる植物３に水分を供給する水分供給器７と、培地２の含水率を測定して含水率測定値を送信する含水率計４と、培地２に植えられる植物３の周囲の光量を測定して光量測定値を送信する光量計５と、含水率測定値を受信して、水分供給器７が培地２又は植物３に供給する水分量を制御するとともに、光量測定値を受信して植物３の周囲が暗期から明期に切り替わったことを判断した場合に、水分供給器７が培地２又は植物３に供給する水分量を、含水率測定値に基づいて供給する水分量以上に制御する制御部６と、を備えている。また本願発明は、含水率測定値を受信して、水分供給器７が培地２又は植物３に供給する水分量を制御するとともに、光量測定値を受信して植物３の周囲が明期から暗期に切り替わったことを判断した場合に、水分供給器７が培地２又は植物３に供給する水分量を、含水率測定値に基づいて供給する水分量以下に制御する制御部６を備えている。さらに培地２に植えられる植物３の周囲の温度を測定する温度計１０と、温度測定値に基づいて水分供給器６が培地２又は植物３に水分の供給を停止する制御部６と、を備えている。
【００１３】
以下、本実施形態による植物鑑賞装置１の構成を、より具体的詳細に説明する。
【００１４】
最初に、水分供給器７について説明する。これは図示しない貯水槽からの水を汲み上げて、培地２及び植物３に霧状又は露上の水分を供給するものであり、内部に電源とコンプレッサーを有している。供給される水分量は制御部６によって制御される（詳細は後述する）。この水分供給器７は、角柱状の支持柱８により植物の上方であって制御部６の下方に位置するように支持されている。
【００１５】
次に、含水率計４について説明する。これは図１に示すごとく、ＴＤＲ方式に従ったプローブ部を備え、培地２にプローブ部が挿入されて含水率を測定するものである（例えば、Ｃａｍｐｂｅｌｌ  Ｓｃｉｅｎｔｉｆｉｃ社製「ＨｙｄｒｏＳｅｎｓｅ」）。含水率計４は図示しない接続線を経由して制御部６に接続されており、プローブ部によって測定された含水率測定値は後述する制御部に送信される。
【００１６】
次に、光量計５について説明する。これは図１に示すごとく、培地２に植えられる植物３の周囲の光量を測定するものであり（例えば、浜松ホトニクス株式会社製「Ｃ８０２６」）、角柱状の支持柱８により植物３の上方に位置するように支持されている。光量計５は図示しない接続線を経由して制御部６に接続されており、測定された光量測定値は後述する制御部に送信される。
【００１７】
次に、温度計１０について説明する。これは図１に示すごとく、培地２に植えられる植物３の周囲の温度を測定するものであり、架台９の上面に植物３に近接して載置されている。温度計１０は図示しない接続線を経由して制御部６に接続されており、測定された温度測定値は後述する制御部に送信される。
【００１８】
次に、制御部６について説明する。これは図１に示すごとく、平板状の外観であり、水分供給器７と光量計５の間に挟まれた状態で載置される。制御部６には、水分供給器７に対する制御条件を記憶する第一の記憶手段と、受信される含水率測定値、光量測定値及び温度測定値を記憶する第二の記憶手段と、第一の記憶手段に記憶された制御条件と第二の記憶手段に記憶された含水率測定値、光量測定値及び温度測定値と、に基づいて、水分供給器７に供給する水分量を指示伝達する出力手段と、を備える。
【００１９】
次に、架台９について説明する。これは図１に示すごとく、板状の部材であり、上面には、植物３が植えられる培地２を入れる容器が載置され、容器の内部の培地２に植物３が植えられる。また水分供給器７、制御部６、光量計５を指示する支持柱８が架台９の側面に設けられている。
【００２０】
次に、本実施形態による植物鑑賞装置１の動作を、より具体的詳細に説明する。
【００２１】
まず、植物３が植えられた培地２を入れた容器は、架台９の上面であって水分供給器７の下方に載置され、含水率計４が培地３に挿入される。光量計５は上述のように植物３の上方に支持されている。温度計１０は上述のように植物３に近接して載置されている。この状態で含水率計４によって測定される含水率測定値と、光量計５によって測定される光量測定値と、温度計１０によって測定される温度測定値が、制御部６に送信され、第二の記憶手段に記憶される。
【００２２】
制御部６は、第一の記憶手段に記憶された制御条件と、第二の記憶手段に記憶された含水率測定値を比較し、制御条件に規定された水分量を培地２又は植物３に供給するように水分供給器７に指示を出す。
【００２３】
ここで、制御条件は植物の種類、植物の周囲の平均温度、等の種々の条件によって任意のものが設定される。植物の周囲の平均温度が低めに設定される冬季等の条件下ではそうでない条件に比べて供給される水分量が抑制される方が、いわゆる根腐れを防止する上で好ましい。
【００２４】
上述のように、制御部６は、第二の記憶手段に記憶された含水率測定値に応じて規定された水分量を供給するが、第二の記憶手段に記憶された光量測定値が培地２に植えられる植物３の周囲が暗期から明期に切り替わったことを判断した場合には、含水率測定値に基づいて規定された水分量以上の水分量を培地２又は植物３に供給するように水分供給器７に指示を出す。また第二の記憶手段に記憶された光量測定値が培地２に植えられる植物３の周囲が明期から暗期に切り替わったことを判断した場合には、含水率測定値に基づいて規定された水分量以下の水分量を培地２又は植物３に供給するように水分供給器７に指示を出す。
【００２５】
ここで、暗期から明期への切り替わり又は明期から暗期への切り替わりは光量計５の光量積算値や時間当たりの光量の変化で判断される。例えば、光源が自然光の場合には時間当たりの光量の変化で判断することが気象状況や季節変動の影響を受けにくく好ましく、光源が人工光であって一定の照射時間が決まっているものは、光量積算値で判断することが暗明の切り替わりを正確に判断できるので好ましい。
【００２６】
さらに、第二の記憶手段に記憶された温度測定値が第一の記憶手段に記憶された所定の値を下回った場合には、制御部６は培地２又は植物３に水分の供給を停止するように水分供給器７に指示を出す。
【００２７】
ここで、温度についての第一の記憶手段に記憶された所定の値は植物の種類、植物の周囲の平均温度、等の種々の条件によって任意のものが設定される。
【００２８】
従って、本実施形態によれば、植物の周囲が暗期から明期に切り替わった場合に、含水率によって調節される水分量以上の水分が供給されるので、植物の乾燥が進むことを防止することができる。
【００２９】
また本実施形態によれば、植物の周囲が明期から暗期に切り替わった場合に、含水率によって調節される水分量以下の水分が供給されるので、水分が過剰となって根腐れが生じることを防止することができる。
【００３０】
さらに本実施形態によれば、植物の周囲の温度が所定の値より低くなった場合に、水分供給を停止ができるので、培地の過渡な湿りを防止することができる。
【００３１】
なお本実施形態では、植物の周囲をガラスケースなどの被覆部材で覆っていないが、図３に示すごとく、植物の周囲を中空角柱状のガラスケース１３で覆ってもよい。この場合、ガラスケースの蓋部１２の内部に蛍光灯や発光ダイオードのような光源１１を設けても構わない。この場合、植物の周囲の温湿度及び日照のの制御が容易となる。
【００３２】
また本実施形態では、植物鑑賞装置１の動作状況を確認するために、表示用インジケータを点灯したり、警報を鳴らしたり、電子メールで管理者に通報することとしてもよい。この場合、管理者が植物の状況を確実に把握することが可能となる。
【図面の簡単な説明】
【００３３】
【図１】本願発明の一実施形態の縦断面図
【図２】本願発明の一実施形態の斜視図
【図３】本願発明の他の実施形態の縦断面図
【符号の説明】
【００３４】
１      植物鑑賞装置
２      培地
３      植物
４      含水率計
５      光量計
６      制御部
７      水分供給器
１０    温度計
【図１】
2006230233.tif 000003
【図２】
2006230233.tif 000004
【図３】
2006230233.tif 000005